(57)【要約】【課題】枠体に孔等を空けることなくより確実に取り付けることが可能なスクリーン固定ユニット等を提供する。【解決手段】スクリーンが引出可能に収容されているスクリーン本体を、建物開口に設けられる枠体に固定するスクリーン固定ユニットであって、前記スクリーン本体が固定される第一固定部材と、前記第一固定部材と接合される第二固定部材と、を有し、前記第一固定部材と前記第二固定部材とが接合されて、前記枠体が、見込み方向及び見込み方向と交差する交差方向とに挟持されている。【選択図】図４
2019124089.tif 000002
【特許請求の範囲】
【請求項１】
スクリーンが引出可能に収容されているスクリーン本体を、建物開口に設けられる枠体に固定するスクリーン固定ユニットであって、
前記スクリーン本体が固定される第一固定部材と、
前記第一固定部材と接合される第二固定部材と、を有し、
前記第一固定部材と前記第二固定部材とが接合されて、前記枠体が、見込み方向及び見込み方向と交差する交差方向とに挟持されていることを特徴とするスクリーン固定ユニット。
【請求項２】
請求項１に記載のスクリーン固定ユニットであって、
前記第一固定部材と前記第二固定部材とを見込み方向において相対的に移動させる見込み方向移動具と、
前記第一固定部材と前記第二固定部材とを交差方向に接合する接合具とを有し、
前記第一固定部材と前記第二固定部材とは、
前記見込み方向移動具が交差方向から操作されて前記枠体を見込み方向に挟持し、
前記接合具により接合されて交差方向に挟持されていることを特徴とするスクリーン固定ユニット。
【請求項３】
請求項２に記載のスクリーン固定ユニットであって、
前記枠体は、見込み方向に沿う見込壁部と、前記見込壁部の屋外側の縁から前記建物開口の中央側に延出された中央延出片と、前記見込壁部の屋外側の縁から前記建物開口よりも外側に延出された外周延出片と、を有し、
前記第一固定部材は前記見込壁部よりも前記枠体の外周側に配置され、前記外周延出片よりも屋内側にて前記見込壁部に当接される見込壁部当接部と、前記中央延出片及び外周延出片よりも屋外側に設けられて前記スクリーン本体を保持する保持金具が固定される保持金具固定部と、前記見込壁部当接部と繋がって前記外周延出片よりも屋内側に設けられ交差方向に沿う交差壁部と、前記交差壁部と前記保持金具固定部とを連結する連結部と、を有し、
前記第二固定部材は、前記中央延出片の屋外側から前記外周延出片よりも前記枠体の外周側に延出される第二固定部材延出部と、前記第二固定部材延出部の、前記枠体の外周側の端部に設けられて前記連結部に固定される接合部と、前記中央延出片の屋外側から繋がって前記中央延出片の屋内側に配置される屋内部位と、を有し、
前記見込み方向移動具は、前記第二固定部材延出部を貫通して前記交差壁部に螺合され
るボルトであり、
前記ボルトを締めることにより、前記外周延出片が前記見込壁部当接部と前記第二固定部材延出部とにより挟持されることを特徴とするスクリーン固定ユニット。
【請求項４】
請求項１乃至請求項３のいずれかに記載のスクリーン固定ユニットであって、
前記中央延出片は、前記枠体に案内される網戸を閉じたときに当該網戸の縦框に挿入される部位であることを特徴とするスクリーン固定ユニット。
【請求項５】
請求項４に記載のスクリーン固定ユニットであって、
前記第二固定部材は、前記第二固定部材延出部及び前記接合部を有する接合部材と、
前記第二固定部材延出部の屋外側に固定される接合部材固定部及び前記接合部材固定部と前記屋内部位とが前記枠体の内周側にて繋がった内外部材と、を有し、
前記内外部材は、前記接合部材よりも薄肉であることを特徴とするスクリーン固定ユニット。
【請求項６】
請求項１乃至請求項５のいずれかに記載のスクリーン固定ユニットであって、
前記第一固定部材は、前記枠体の上に配置される上片を有することを特徴とするスクリーン固定ユニット。
【請求項７】
請求項１乃至請求項６のいずれかに記載のスクリーン固定ユニットと、
前記スクリーン本体と、を有することを特徴とするスクリーンユニット。
【発明の詳細な説明】
【技術分野】
【０００１】
本発明は、スクリーンが引出可能に収容されているスクリーン本体を枠体に固定するスクリーン固定ユニット及びスクリーンユニットに関する。
【背景技術】
【０００２】
スクリーンが引出可能に収容されているスクリーン本体を枠体に固定するスクリーン固定ユニットとしては、例えば、スクリーンを納めるスクリーン装置本体を有するスクリーン装置をサッシ枠の室外側に固定するスクリーン装置取付具が知られている（例えば、特許文献１参照）。このスクリーン装置取付具は、第一固定部材と第二固定部材とが組み合わされて構成されており、建物開口部と対向する内周面部の室外端部に室外側面と、室外側面の内周面部よりも外周側に伸びる板状部と、板状部の先端部に設けられ室内側に向かって突出する先端突部と、を有するサッシ枠に取り付けられる。
【０００３】
第一固定部材の第一挟持部が、縦枠の板状部に当接し、第二固定部材の第二挟持部が、縦枠の板状部のうちの第一挟持部が当接している面と反対側の面と対向し、ビスの先端部が第二固定部材の第二挟持部に当接している。この状態から第一固定部材を移動させることなくビスを締めていくことで、第二挟持部が板状部側に移動し、板状部の第一挟持部が当接する面と反対側の面に当接する。ビスを締めていくことで、第一挟持部と第二挟持部が縦枠の板状部を両側から挟み込んでスクリーン装置取付具が縦枠に固定されるように構成されている。
【先行技術文献】
【特許文献】
【０００４】
【特許文献１】特開２０１４−２１４５６８号公報
【発明の概要】
【発明が解決しようとする課題】
【０００５】
上記スクリーン装置取付具は、第一固定部材の第一挟持部と第二固定部材の第二挟持部とが縦枠の板状部を両側から挟み込んで縦枠に固定されるので、サッシ枠にビスを螺合することなく取り付けることができる。このとき、スクリーン装置取付具は、見込み方向には移動不能に固定されているが、上枠や下枠に沿う左右方向への移動は規制されていないため、挟持しているビスが緩むと左右方向に移動しやすくなり、不安定になる虞がある。また、上記スクリーン装置取付具では、第一挟持部と第二挟持部とが挟持している縦枠の板状部の先端に室内側に向かって突出する先端突部が設けられているため、左右方向にスライドしても外れ難い構成をなしているが、先端突部が設けられていない縦枠にスクリーン装置取付具を用いてスクリーン装置を取り付けた場合には、スクリーン装置取付具とともにスクリーン装置が外れる虞があるという課題がある。
【０００６】
本発明は、かかる課題に鑑みてなされたものであり、その目的とするところは、枠体に孔等を空けることなくより確実に取り付けることが可能なスクリーン固定ユニット、及び、スクリーンユニットを提供することにある。
【課題を解決するための手段】
【０００７】
かかる目的を達成するために本発明のスクリーン固定ユニットは、スクリーンが引出可能に収容されているスクリーン本体を、建物開口に設けられる枠体に固定するスクリーン固定ユニットであって、前記スクリーン本体が固定される第一固定部材と、前記第一固定部材と接合される第二固定部材と、を有し、前記第一固定部材と前記第二固定部材とが接合されて、前記枠体が、見込み方向及び見込み方向と交差する交差方向とに挟持されていることを特徴とするスクリーン固定ユニットである。
【０００８】
このようなスクリーン固定ユニットによれば、スクリーン本体が固定される第一固定部材と第二固定部材とが接合されて、建物開口に設けられる枠体が見込み方向及び交差方向に挟持されているので、枠体に孔等を空けることなくスクリーン固定ユニットを固定することが可能である。このため、第一固定部材に固定されるスクリーン本体を、枠体に孔等を空けることなくより確実に取り付けることが可能である。
【０００９】
かかるスクリーン固定ユニットであって、前記第一固定部材と前記第二固定部材とを見込み方向において相対的に移動させる見込み方向移動具と、前記第一固定部材と前記第二固定部材とを交差方向に接合する接合具とを有し、前記第一固定部材と前記第二固定部材とは、前記見込み方向移動具が交差方向から操作されて前記枠体を見込み方向に挟持し、
前記接合具により接合されて交差方向に挟持されていることを特徴とする。
【００１０】
このようなスクリーン固定ユニットによれば、第一固定部材と第二固定部材とは、交差方向の操作により接合することが可能なので、建物から身体を大きく乗り出すことなく屋内側から容易に取り付けることが可能である。
【００１１】
かかるスクリーン固定ユニットであって、前記枠体は、見込み方向に沿う見込壁部と、前記見込壁部の屋外側の縁から前記建物開口の中央側に延出された中央延出片と、前記見込壁部の屋外側の縁から前記建物開口よりも外側に延出された外周延出片と、を有し、前記第一固定部材は前記見込壁部よりも前記枠体の外周側に配置され、前記外周延出片よりも屋内側にて前記見込壁部に当接される見込壁部当接部と、前記中央延出片及び外周延出片よりも屋外側に設けられて前記スクリーン本体を保持する保持金具が固定される保持金具固定部と、前記見込壁部当接部と繋がって前記外周延出片よりも屋内側に設けられ交差方向に沿う交差壁部と、前記交差壁部と前記保持金具固定部とを連結する連結部と、を有し、前記第二固定部材は、前記中央延出片の屋外側から前記外周延出片よりも前記枠体の外周側に延出される第二固定部材延出部と、前記第二固定部材延出部の、前記枠体の外周側の端部に設けられて前記連結部に固定される接合部と、前記中央延出片の屋外側から繋がって前記中央延出片の屋内側に配置される屋内部位と、を有し、前記見込み方向移動具は、前記第二固定部材延出部を貫通して前記交差壁部に螺合されるボルトであり、前記ボルトを締めることにより、前記外周延出片が前記見込壁部当接部と前記第二固定部材延出部とにより挟持されることを特徴とする。
【００１２】
このようなスクリーン固定ユニットによれば、外周延出片よりも屋外側に配置される第二固定部材延出部を貫通するボルトが、第一固定部材の、外周延出片よりも屋内側に配置された交差壁部に螺合されているので、ボルトを締めることにより第一固定部材と第二固定部材との見込み方向における間隔を狭めることが可能である。このため、ボルトを締めることにより見込壁部当接部と第二固定部材延出部とにより外周延出片をより確実に挟持することが可能である。また、第一固定部材と第二固定部材との間隔を狭めるために操作するのはボルトなので、ビスのように見込み方向からの操作ではなく、交差方向からの操作により容易にかつ確実に外周延出片を挟持することが可能である。
【００１３】
また、第二固定部材の屋内部位は、中央延出片の屋外側から繋がって当該中央延出片の屋内側に配置されているので、たとえ第一固定部材と第二固定部材とによる枠体の挟持状態が緩んだとしても、建物開口に設けられる枠体から外れることを防止することが可能である。
【００１４】
かかるスクリーン固定ユニットであって、前記中央延出片は、前記枠体に案内される網戸を閉じたときに当該網戸の縦框に挿入される部位であることを特徴とする。
このようなスクリーン固定ユニットによれば、枠体の中央延出片は網戸の縦框に挿入される部位なので、網戸を備える枠体であれば、スクリーン固定ユニットを取り付ける部位を別途設けることなく、スクリーン固定ユニットを取り付けることが可能である。
【００１５】
かかるスクリーン固定ユニットであって、前記第二固定部材は、前記第二固定部材延出部及び前記接合部を有する接合部材と、前記第二固定部材延出部の屋外側に固定される接合部材固定部及び前記接合部材固定部と前記屋内部位とが前記枠体の内周側にて繋がった内外部材と、を有し、前記内外部材は、前記接合部材よりも薄肉であることを特徴とする。
【００１６】
このようなスクリーン固定ユニットによれば、接合部材に固定されて屋内部位と枠体の内周側にて繋がっている内外部材は、網戸の縦框に中央延出片とともに挿入される。このため、内外部材が接合部材よりも薄肉に構成されていると、接合部材により外周延出片を挟持する強度を確保し、中央延出片を内外部材とともに縦框に挿入させることが可能である。
【００１７】
かかるスクリーン固定ユニットであって、前記第一固定部材は、前記枠体の上に配置される上片を有することを特徴とする。
このようなスクリーン固定ユニットによれば、第一固定部材の上片が枠体の上に配置されるので、たとえ、第一固定部材と第二固定部材とによる枠体の挟持状態が緩んだとしても、スクリーン固定ユニット及びスクリーン本体が降下することを防止することが可能である。
【００１８】
また、上記スクリーン固定ユニットと、前記スクリーン本体と、を有することを特徴とするスクリーンユニットである。
このようなスクリーンユニットによれば、より確実に枠体にスクリーン本体を固定することが可能なスクリーンユニットを提供することが可能である。
【発明の効果】
【００１９】
本発明によれば、枠体に孔等を空けることなくより確実に取り付けることが可能なスクリーン固定ユニット、及び、スクリーンユニットを提供することが可能である。
【図面の簡単な説明】
【００２０】
【図１】本実施形態に係るスクリーンユニットを示す縦断面図である。
【図２】本実施形態に係るスクリーン固定ユニットとスクリーン本体とを示す斜視図である。
【図３】スクリーン固定ユニットが枠体に取り付けられた状態を屋外側から見た図である。
【図４】スクリーン固定ユニットが枠体に取り付けられた状態を示す横断面図である。
【図５】スクリーン固定ユニットの構成を示す斜視図である。
【図６】図６（ａ）は、スクリーン固定ユニットが取り付けられる前の状態を示す斜視図であり、図６（ｂ）は、スクリーン固定ユニットが枠体に取り付けられた状態を示す斜視図である。
【図７】スクリーン固定ユニットの取り付け手順を示す図である。
【図８】スクリーン固定ユニットをフックの取り付けに転用した例を示す図である。
【発明を実施するための形態】
【００２１】
以下、本発明の一実施形態に係るスクリーン固定ユニット、及び、スクリーンユニットについて図面を参照して説明する。
【００２２】
本実施形態のスクリーンユニット１は、図１〜図４に示すように、例えば、シェードなどのスクリーン２ａが引き出し可能に収容されているスクリーン本体２と、スクリーン本体２を建物開口３ａに設けられている枠体４の上部に固定するスクリーン固定ユニット５と、を有している。
【００２３】
本実施形態の枠体４は、引き違い障子６を備える建具の枠体４であり、引き違い障子６の屋外側に網戸７が備えられている。枠体４は、上下の横枠４１と、左右の縦枠４２とが矩形状に枠組みされている。上下の横枠４１の最も屋外側には、枠体４の内周側に延出されて網戸７を案内する網戸レール４１ａが建物３の外壁３ｂよりも屋外側に張り出して設けられている。以下の説明においては、矩形状をなす枠体４に囲まれた内側を内周側、枠体４の外側を外周側として説明する。
【００２４】
左右の縦枠４２は、見込み方向に沿う見込壁部４２ａと、見込壁部４２ａの屋外側の縁から内周側に延出され、網戸７を閉じた際に網戸７の縦框７ａの戸先側が開放された溝部７ｂに挿入される挿入片４２ｂと、見込壁部４２ａの屋外側の縁から外周側に延出された外周延出片４２ｃと、を有している。挿入片４２ｂ及び外周延出片４２ｃは、建物３の外壁３ｂよりも屋外側に張り出した位置にて、見込み方向において、上下の横枠４１に設けられた網戸レール４１ａと同じ位置に設けられている。ここで、挿入片４２ｂが、見込壁部４２ａの屋外側の縁から建物開口３ａの中央側に延出された中央延出片に相当する。
【００２５】
スクリーン本体２は、水平方向に沿って設けられた軸体２ｂと、軸体２ｂに巻き付けられたスクリーン２ａと、軸体２ｂを収容するとともに軸体２ｂの両端部を回動自在に支持するケーシング２ｃと、を有している。軸体２ｂは、スクリーン２ａが巻き取られる方向に付勢されて支持されている。
【００２６】
スクリーン２ａの引き出される側の端部には、スクリーン２ａが引き出された状態を維持すべく枠体４に設けられたフック８に係止される係止バー２ｄがスクリーン２ａの幅方向に沿って設けられている。係止バー２ｄは、スクリーン２ａの幅より長く、両端がスクリーン２ａよりも長手方向における両側に突出している。スクリーン２ａが巻き取られた状態では、係止バー２ｄがケーシング２ｃに設けられた開口２ｅから突出し、係止バー２ｄの両端部がケーシング２ｃにおける開口２ｅの両側の部位に係合されており、スクリーン２ａが引き出された状態を維持する場合には、係止バー２ｄに設けられた溝部２ｆに、縦枠４２の下部に取り付けられているフック８が係合している。
【００２７】
本実施形態のスクリーン固定ユニット５は、保持金具９を介してスクリーン本体２が固定される第一固定部材５１と、第一固定部材５１と接合される第二固定部材５２と、を有している。スクリーン固定ユニット５は、左右の縦枠４２に各々設けられ、スクリーン本体２の長手方向における両端部を保持している。左右の縦枠４２に各々設けられるスクリーン固定ユニット５は、互いに左右が反転した対称形状をなしている。スクリーン固定ユニット５及び保持金具９の説明においては、枠体４に取り付けられた状態にて、上下となる方向を上下方向、室内外方向である奥行き方向を見込み方向、左右となり見込み方向と交差する方向を交差方向、として示す。
【００２８】
保持金具９は、第一固定部材５１にビス止めされ鉛直方向に沿って配置される板状の固定壁部９ａと、固定壁部９ａの上縁から屋外側に延出され、先端がスクリーン本体２のケーシング２ｃに係合される係合片９ｂと、固定壁部９ａの下縁から屋外側に延出され、先端にケーシング２ｃに螺合するビスが挿通する挿通孔９ｃが設けられている固定片９ｄと、を有している。
【００２９】
第一固定部材５１は、図４、図５に示すように、見込壁部４２ａの外周側の面に当接される見込壁部当接部５１ａと、見込壁部当接部５１ａの屋内側の縁から外周側に延出された交差壁部としての屋内延出壁部５１ｂと、屋内延出壁部５１ｂの外周側の縁から屋外側に延出される連結部としての外周壁部５１ｃと、外周壁部５１ｃの上部及び下部からそれぞれ内周側に延出されて保持金具９が固定される保持金具固定部５１ｄと、見込壁部当接部５１ａの上部に屋外側に突出させて設けられた上片５１ｅと、を有している。
【００３０】
見込壁部当接部５１ａ及び屋内延出壁部５１ｂは、外周延出片４２ｃよりも屋内側に位置している。外周壁部５１ｃは、屋内延出壁部５１ｂから見込み方向に沿って延出されており、その先端は外周延出片４２ｃよりも屋外側に至っている。
【００３１】
第二固定部材５２は、第一固定部材５１の外周壁部５１ｃに当接されてビス止めされる接合部材５３と、接合部材５３の屋外側に重ねられ枠体４の内周側にて屋内側に繋がっている内外部材５４と、を有している。内外部材５４は、接合部材５３よりも厚みの薄い板金により形成されている。
【００３２】
接合部材は５３、挿入片４２ｂ及び外周延出片４２ｃの屋外側の面に当接され外周延出片４２ｃよりも外周側に延出される第二固定部材延出部としての平板状の接合部材延出部５３ａと、接合部材延出部５３ａの外周側の端部から屋外側に延出され外周壁部５１ｃに固定される接合部５３ｂと、接合部材延出部５３ａの一部が切り起こされて接合部５３ｂと繋がった平面をなして屋内側に延びる屋内延出片５３ｃと、を有している。接合部材延出部５３ａと接合部５３ｂとは、平面視Ｌ字状をなしており、屋内延出片５３ｃは接合部５３ｂの上下方向における中央部分が屋内側に延長されるように設けられている。屋内延出片５３ｃの接合部材延出部５３ａより屋内側への延出量は、見込壁部当接部５１ａの屋内延出壁部５１ｂより屋外側への延出量とほぼ一致している。
【００３３】
接合部材延出部５３ａには、外周側における上下方向の中央部分に、屋内延出片５３ｃを切り起こすことにより加工孔５３ｄが形成されている。加工孔５３ｄの上下にはそれぞれ、第一固定部材５１の屋内延出壁部５１ｂに螺合され、頭部が六角形状をなし見込み方向移動具としてのボルト１０が貫通される長孔５３ｅが、接合部５３ｂとの境界部まで設けられている。
【００３４】
接合部５３ｂには、上下方向における中央部に屋外側が開放されて屋内側に入り込む、Ｕ字を横にした形状の中央凹部５３ｆが設けられている。中央凹部５３ｆには、内周側から進入し、第一固定部材５１の外周壁部５１ｃに螺合される接合具としてのビス１１が挿通される。
【００３５】
内外部材５４は、接合部材延出部５３ａの屋外側に重なって固定される平板状の接合部材固定部５４ｂと、接合部材固定部５４ｂの屋内側に間隔を隔てて対向する屋内部位５４ａと、接合部材固定部５４ｂと屋内部位５４ａとを内周側にて繋ぐ内周壁部５４ｃと、を有している。
【００３６】
接合部材５３と内外部材５４とは、接合部材延出部５３ａと接合部材固定部５４ｂとがスポット溶接されており、接合部材固定部５４ｂには、スポット溶接された状態で、接合部材延出部５３ａの長孔５３ｅと重なる位置に、外周側が開放されて内周側に入り込む、Ｕ字を横にした形状の外周凹部５４ｄが設けられている。
【００３７】
内周壁部５４ｃの外周側の面から屋内部位５４ａの外周側の縁までの長さは、挿入片４２ｂの交差方向の幅より十分短く形成されている。また、接合部材延出部５３ａの屋内側の面と屋内部位５４ａの屋外側の面とは、挿入片４２ｂが挿入可能な間隔が空けられている。
【００３８】
接合部材５３と内外部材５４とがスポット溶接された第二固定部材５２は、第一固定部材５１の見込壁部当接部５１ａ、屋内延出壁部５１ｂ、外周壁部５１ｃ、保持金具固定部５１ｄにより囲まれる空間内に接合部５３ｂ及び屋内延出片５３ｃ側が挿入され、接合部５３ｂの中央凹部５３ｆに挿通されたビス１１が、第一固定部材５１の外周壁部５１ｃに十分に緩く螺合された状態で、枠体４に取り付けられる。このとき、第一固定部材５１の屋内延出壁部５１ｂには、接合部材５３の長孔５３ｅ及び内外部材５４の外周凹部５４ｄを挿通する２本のボルト１０が、十分に緩めた状態で螺合されている。また、第一固定部材５１の保持金具固定部５１ｄには、保持金具９がビス止めされている。
【００３９】
スクリーン固定ユニット５によりスクリーン本体２を枠体４に取り付ける場合には、図６に示すように、予め第一固定部材５１に保持金具９を固定し、第二固定部材５２を固定するビス１１と２本のボルト１０を緩めた状態で、第一固定部材５１と第二固定部材５２とを組み合わせておく。
【００４０】
スクリーン固定ユニット５によるスクリーン本体２の取り付け方法は、図７に示すように、まず、第一固定部材５１と第二固定部材５２とを組み合わせたスクリーン固定ユニット５を、第二固定部材５２の接合部材延出部５３ａが、縦枠４２の挿入片４２ｂ及び外周延出片４２ｃと対面するように配置した状態で、第一固定部材５１を、その屋内側の部位が屋外側の部位より外周側に位置するように傾けるとともに、第一固定部材５１の上片５１ｅが枠体４の上に位置するようにスクリーン固定ユニット５を枠体４に近づける。
【００４１】
次に、第一固定部材５１が傾いている状態で、上片５１ｅを枠体４の上に引っ掛けるとともに、枠体４の挿入片４２ｂを接合部材延出部５３ａの屋内側の面と屋内部位５４ａの屋外側の面との間に挿入し、挿入片４２ｂの先端を内周壁部５４ｃに当接させる。
【００４２】
次に、第一固定部材５１を、屋内側の部位を外周側から内周側に移動するように回転させ、見込壁部当接部５１ａを枠体４の見込壁部４２ａに当接させて、内周側からドライバーを操作してビス１１を締め込む。このとき、見込壁部当接部５１ａの屋外側の端面を外周延出片４２ｃの屋内側の面に、第二固定部材５２の屋内延出片５３ｃの屋内側の端面を第一固定部材５１の屋内延出壁部５１ｂの屋外側の面に、それぞれ当接させておく。
【００４３】
次に、内周側からレンチやスパナなどを用いてボルト１０を操作し締め込むことにより、スクリーン固定ユニット５が、枠体４に固定される。より具体的には、枠体４の外周延出片４２ｃは、見込壁部当接部５１ａと接合部材延出部５３ａとにより見込み方向に挟持され、見込壁部当接部５１ａと内周壁部５４ｃとにより縦枠４２が交差方向に挟持される。このとき、第二固定部材５２の屋内延出片５３ｃの屋内側の端面が第一固定部材５１の屋内延出壁部５１ｂの屋外側の面に当接していることにより、第一固定部材５１の屋内延出壁部５１ｂと第二固定部材５２の接合部材延出部５３ａとがほぼ平行をなす状態が保たれ、第一固定部材５１及び第二固定部材５２が歪むことなくボルト１０が締め込まれ、見込壁部当接部５１ａと接合部材延出部５３ａとにより外周延出片４２ｃがより確実に挟持される。
【００４４】
また、スクリーン固定ユニット５は上片５１ｅにより下方への移動が規制され、枠体４の内周側にて屋内側と屋外側とを繋ぐ内周壁部５４ｃにより上方への移動も規制される。このとき、第一固定部材５１と第二固定部材５２とをビス１１にて固定した状態で、見込壁部当接部５１ａの内周側の面と内周壁部５４ｃの外周側の面との間隔を、枠体４の見込壁部４２ａの外周側の面と挿入片４２ｂの先端までの幅より僅かに狭く設定しておくと、見込壁部当接部５１ａと内周壁部５４ｃとにより枠体４がより確実に挟持される。
【００４５】
次に、スクリーン本体２のケーシング２ｃの屋内側における上部を係合片９ｂに係合させ、下部を固定片９ｄの挿通孔９ｃを挿通したビスにより固定してスクリーン本体２を固定する。
【００４６】
本実施形態のスクリーン固定ユニット５、及び、スクリーンユニット１によれば、スクリーン本体２が固定される第一固定部材５１と第二固定部材５２とが接合されて、建物開口３ａに設けられる枠体４が見込み方向及び交差方向に挟持されるので、枠体４に孔等を空けることなくスクリーン固定ユニット５及びスクリーン本体２を取り付けることが可能である。このため、第一固定部材５１に固定されるスクリーン本体２を、枠体４に孔等を空けることなくより確実に取り付けることが可能である。
【００４７】
また、第一固定部材５１と第二固定部材５２とは、交差方向における枠体４の内周側からの操作により接合することができるので、建物３から身体を大きく乗り出すことなく屋内側から容易に取り付けることが可能である。
【００４８】
また、枠体４にて網戸７の縦框７ａに挿入される挿入片４２ｂに係合される第二固定部材５２と第一固定部材５１とが接合されて交差方向の移動が規制されるので、網戸７が設けられる枠体４であればスクリーン固定ユニット５の交差方向の移動を規制しつつ交差方向に挟持することが可能である。
【００４９】
また、外周延出片４２ｃよりも屋外側に配置される接合部材延出部５３ａを貫通するボルト１０が、第一固定部材５１の、外周延出片４２ｃよりも屋内側に配置された屋内延出壁部５１ｂに螺合されているので、ボルト１０を締めることにより第一固定部材５１と第二固定部材５２との見込み方向における間隔を狭めることが可能である。このため、ボルト１０を締めることにより見込壁部当接部５１ａと接合部材延出部５３ａとにより外周延出片４２ｃをより確実に挟持することが可能である。また、第一固定部材５１と第二固定部材５２との間隔を狭めるために操作するのは頭部が六角形状をなすボルト１０なので、交差方向における枠体４の内周側から容易に操作して確実に外周延出片４２ｃを挟持することが可能である。このため、建物３から身体を大きく乗り出すことなく屋内側から容易に取り付けることが可能である。
【００５０】
また、第二固定部材５２の屋内部位５４ａは、挿入片４２ｂの屋外側から繋がって当該挿入片４２ｂの屋内側に配置されているので、たとえ第一固定部材５１と第二固定部材５２とによる枠体４の挟持状態が緩みスクリーン固定ユニット５が上方に引き上げられたとしても、内周壁部５４ｃが上の横枠４１に接触することによりスクリーン固定ユニット５の上昇が妨げられる。このため、スクリーン固定ユニット５及びスクリーン本体２が枠体４から上方に外れることを防止することが可能である。
【００５１】
また、第一固定部材５１の上片５１ｅが枠体４の上に配置されるので、たとえ、第一固定部材５１と第二固定部材５２とによる枠体４の挟持状態が緩んだとしても、スクリーン固定ユニット５及びスクリーン本体２が降下することを防止することが可能である。
【００５２】
また、接合部材５３に固定されて屋内部位５４ａと枠体４の内周側にて繋がっている内外部材５４は、網戸７の縦框７ａに挿入片４２ｂとともに挿入される。このため、内外部材５４が接合部材５３よりも薄肉に構成されていると、接合部材５３により挿入片４２ｂを挟持する強度を確保し、挿入片４２ｂを内外部材５４とともに縦框７ａに挿入させることが可能である。
【００５３】
そして、枠体４に取り付けられたスクリーン固定ユニット５を介してスクリーン本体２が、より確実に枠体４に固定することが可能なスクリーンユニット１を提供することが可能である。
【００５４】
上記実施形態においては、スクリーン本体２が保持金具９を介してスクリーン固定ユニット５に取り付けられる例について説明したが、これに限らず、保持金具９を介さずスクリーン本体２がスクリーン固定ユニット５に直接取り付けられる構成であっても構わない。
【００５５】
上記実施形態のスクリーン固定ユニット５は、図８に示すように、第一固定部材５１の上片５１ｅを切除した第一固定部材５５を用い、保持金具９に変えてフック８を第一固定部材５５に取り付けることにより、スクリーン２ａが引き出された状態を維持すべく係止バー２ｄに係止されるフック８を縦枠４２の下方に取り付けることが可能である。
上記実施形態においては、引き違い窓用の建具の枠体４を例に挙げて説明したが、これに限るものではない。
【００５６】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５７】
１  スクリーンユニット、２  スクリーン本体、３ａ  建物開口、４  枠体、
５  スクリーン固定ユニット、７  網戸７ａ  縦框、９  保持金具、
１０  ボルト、１１  ビス、４２  縦枠、４２ａ  見込壁部、４２ｂ  挿入片、
４２ｃ  外周延出片、５１  第一固定部材、５１ａ  見込壁部当接部、
５１ｂ  屋内延出壁部、５１ｃ  外周壁部、５１ｄ  保持金具固定部、５１ｅ  上片、
５２  第二固定部材、５３  接合部材、５３ａ  接合部材延出部、５３ｂ  接合部、
５４  内外部材、５４ａ  屋内部位、５４ｂ  接合部材固定部、
【図１】
2019124089.tif 000003
【図２】
2019124089.tif 000004
【図３】
2019124089.tif 000005
【図４】
2019124089.tif 000006
【図５】
2019124089.tif 000007
【図６】
2019124089.tif 000008
【図７】
2019124089.tif 000009
【図８】
2019124089.tif 000010